(57)【特許請求の範囲】
【請求項１】
相補関係にある第１、第２の信号電流を流すべき第１、第２の負荷回路が接続される第１、第２の負荷回路接続端子と、これら第１、第２の負荷回路接続端子に接続され、前記第１、第２の信号電流の発生源となる信号電流発生源とを有するレーザダイオード駆動回路を備えるレーザ光発生装置において、
前記第１の負荷回路接続端子側に変調器内蔵レーザダイオードに内蔵されている変調器ダイオードを接続すると共に、前記第２の負荷回路接続端子側にダミーの変調器ダイオードを接続していることを特徴とするレーザ光発生装置。
【請求項２】
前記変調器内蔵レーザダイオードに内蔵されている変調器ダイオードは、前記レーザダイオード駆動回路の前記第１の負荷回路接続端子側の出力インピーダンスとの整合を図るための第１の抵抗素子と並列接続されており、
前記ダミーの変調器ダイオードは、前記レーザダイオード駆動回路の前記第２の負荷回路接続端子側の出力インピーダンスとの整合を図るための第２の抵抗素子と並列接続されていることを特徴とする請求項１記載のレーザ光発生装置。
【発明の詳細な説明】
【０００１】
【発明の属する技術分野】
本発明は、光伝送システムなどに使用されるレーザ光を発生するレーザ光発生装置に関する。
【０００２】
【従来の技術】
図５は第１従来例のレーザ光発生装置の要部を示す回路図である。図５中、１はレーザダイオード駆動回路であり、２はデータ信号ＤＡＴＡが入力される信号入力端子、３はデータ信号ＤＡＴＡと相補関係にある反転データ信号／ＤＡＴＡが入力される信号入力端子である。
【０００３】
また、４は非反転入力端子にデータ信号ＤＡＴＡが入力され、反転入力端子に反転データ信号／ＤＡＴＡが入力される差動出力形の差動アンプ、５、６は差動増幅動作を行う高移動度トランジスタ、いわゆる、ＨＥＭＴ、７は定電流源、８、９は負荷回路接続端子である。
【０００４】
ＨＥＭＴ５は、ゲートを差動アンプ４の非反転出力端子に接続され、ドレインを負荷回路接続端子８に接続されており、ＨＥＭＴ６は、ゲートを差動アンプ４の反転出力端子に接続され、ドレインを負荷回路接続端子９に接続されている。
【０００５】
また、ＨＥＭＴ５、６のソース同士は接続されており、その接続点は定電流源７の電流入力端に接続され、定電流源７の電流出力端はＶＳＳ電源線に接続されている。
【０００６】
ここに、ＨＥＭＴ５、６と、定電流源７とで、負荷回路接続端子８、９に接続される第１、第２の負荷回路に流すべき相補関係にある第１、第２の信号電流を発生する信号電流発生源が構成されている。
【０００７】
即ち、ＨＥＭＴ５と、定電流源７とで、データ信号ＤＡＴＡに対応する第１の信号電流を発生する第１の信号電流発生源が構成されており、ＨＥＭＴ６と、定電流源７とで、データ信号／ＤＡＴＡに対応する信号電流、即ち、第１の信号電流と相補関係にある第２の信号電流を発生する第２の信号電流発生源が構成されている。
【０００８】
また、１０は光源をなすレーザダイオード（ＬＤ）、１１、１２はレーザダイオード駆動回路１の出力インピーダンスとの整合を図るための抵抗、この例では、レーザダイオード１０及び抵抗１１からなる直列回路が第１の負荷回路とされ、抵抗１２からなる回路が第２の負荷回路とされている。
【０００９】
ここに、例えば、レーザダイオード駆動回路１の負荷回路接続端子８、９から見た出力インピーダンスがそれぞれ２５Ω、レーザダイオード１０の導通時の抵抗が５Ωの場合には、抵抗１１は２０Ω、抵抗１２は２５Ωとされ、負荷回路接続端子８から負荷回路側を見たインピーダンスと、負荷回路接続端子９から負荷回路側を見たインピーダンスとのバランスが確保されている。
【００１０】
また、図６は第２従来例のレーザ光発生装置の要部を示す回路図である。図６中、２１はレーザダイオード駆動回路であり、２２はデータ信号ＤＡＴＡが入力される信号入力端子、２３はデータ信号ＤＡＴＡと相補関係にある反転データ信号／ＤＡＴＡが入力される信号入力端子である。
【００１１】
また、２４は非反転入力端子にデータ信号ＤＡＴＡが入力され、反転入力端子に反転データ信号／ＤＡＴＡが入力される差動出力形の差動アンプ、２５、２６は差動増幅動作を行うＨＥＭＴ、２７は定電流源、２８、２９は負荷回路接続端子である。
【００１２】
ＨＥＭＴ２５は、ゲートを差動アンプ２４の非反転出力端子に接続され、ドレインを負荷回路接続端子２８に接続されており、ＨＥＭＴ２６は、ゲートを差動アンプ２４の反転出力端子に接続され、ドレインを負荷回路接続端子２９に接続されている。
【００１３】
また、ＨＥＭＴ２５、２６のソース同士は接続されており、その接続点は定電流源２７の電流入力端に接続され、定電流源２７の電流出力端はＶＳＳ電源線に接続されている。
【００１４】
ここに、ＨＥＭＴ２５、２６と、定電流源２７とで、負荷回路接続端子２８、２９に接続される第１、第２の負荷回路に流すべき相補関係にある第１、第２の信号電流を発生する信号電流発生源が構成されている。
【００１５】
即ち、ＨＥＭＴ２５と、定電流源２７とで、データ信号ＤＡＴＡに対応する第１の信号電流を発生する第１の信号電流発生源が構成されており、ＨＥＭＴ２６と、定電流源２７とで、反転データ信号／ＤＡＴＡに対応する第２の信号電流、即ち、第１の信号電流と相補関係にある第２の信号電流を発生する第２の信号電流発生源が構成されている。
【００１６】
また、３０は変調器内蔵レーザダイオード（ＭＩ−ＬＤ）であり、３１は光源をなすレーザダイオード、３２はレーザダイオード３１から出力されるレーザ光を変調して外部に出力する変調器ダイオードである。
【００１７】
なお、レーザダイオード３１は、接地線と定電流源３３との間に接続され、変調器ダイオード３２は、接地線とレーザダイオード駆動回路２１の負荷回路接続端子２８との間に接続されており、定電流源３３の電流入力端はＶＤＤ電源線に接続されている。
【００１８】
また、３４、３５はレーザダイオード駆動回路２１の出力インピーダンスとの整合を図るための抵抗であり、この例では、変調器ダイオード３２及び抵抗３４からなる並列回路が第１の負荷回路とされ、抵抗３５からなる回路が第２の負荷回路とされている。
【００１９】
ここに、たとえば、レーザダイオード駆動回路２１の負荷回路接続端子２８、２９から見た出力インピーダンスがそれぞれ５０Ωの場合には、抵抗３４、３５は５０Ωとされ、負荷回路接続端子２８から負荷回路側を見たインピーダンスと、負荷回路接続端子２９から負荷回路側を見たインピーダンスとのバランスが確保されている。
【００２０】
【発明が解決しようとする課題】
図５に示す第１従来例のレーザ光発生装置においては、抵抗１１、１２により、負荷回路接続端子８から負荷回路側を見たインピーダンスと、負荷回路接続端子９から負荷回路側を見たインピーダンスとのバランスが確保されているが、信号周波数が高くなると、例えば、信号周波数が１０ＧＨz程度になると、レーザダイオード１０の容量成分が無視できなくなる。
【００２１】
このため、負荷回路接続端子８から負荷回路側を見たインピーダンスと、負荷回路接続端子９から負荷回路側を見たインピーダンスとのバランスを確保することが困難となり、図７に示すように光波形にジッタが多くなり、立ち上がり、立ち下がり時間の長い光波形となってしまい、高速伝送を行うことができないという問題点があった。
【００２２】
図６に示す第２従来例のレーザ光発生装置においては、抵抗３４、３５により、負荷回路接続端子２８から負荷側を見たインピーダンスと、負荷回路接続端子２９から負荷回路側を見たインピーダンスとのバランスが確保されているが、信号周波数が高くなると、例えば、信号周波数が１０ＧＨz程度になると、変調器ダイオード３２の容量成分が無視できなくなる。
【００２３】
このため、負荷回路接続端子２８から負荷側を見たインピーダンスと、負荷回路接続端子２９から負荷回路側を見たインピーダンスとのバランスを確保することが困難となり、図８に示すように光波形にジッタが多くなり、立ち上がり、立ち下がり時間の長い光波形となってしまい、高速伝送を行うことができないという問題点があった。
【００２４】
本発明は、かかる点に鑑み、ジッタが少なく、立ち上がり、立ち下がり時間の短い光波形を発生し、高速伝送を行うことができるようにしたレーザ光発生装置を提供することを目的とする。
【００２５】
【課題を解決するための手段】
本発明中、第１の発明は、相補関係にある第１、第２の信号電流を流すべき第１、第２の負荷回路が接続される第１、第２の負荷回路接続端子と、これら第１、第２の負荷回路接続端子に接続され、第１、第２の信号電流の発生源となる信号電流発生源とを有するレーザダイオード駆動回路を備えるレーザ光発生装置において、第１の負荷回路接続端子側に正規のレーザダイオードを接続すると共に、第２の負荷回路接続端子側にダミーのレーザダイオードを接続しているというものである。
【００２６】
本発明中、第１の発明によれば、第１の負荷回路接続端子側に正規のレーザダイオードを接続すると共に、第２の負荷回路接続端子側にダミーのレーザダイオードを接続するとしているので、信号周波数が高く、正規のレーザダイオードの容量成分が無視できない場合であっても、レーザダイオード駆動回路の第１の負荷回路接続端子から第１の負荷回路側を見たインピーダンスと、レーザダイオード駆動回路の第２の負荷回路接続端子から第２の負荷回路側を見たインピーダンスとのバランスを確保することができる。
【００２７】
本発明中、第２の発明は、第１の発明において、正規のレーザダイオードは、レーザダイオード駆動回路の第１の負荷回路接続端子側の出力インピーダンスとの整合を図るための第１の抵抗素子と直列接続されており、ダミーのレーザダイオードは、レーザダイオード駆動回路の第２の負荷回路接続端子側の出力インピーダンスとの整合を図るための第２の抵抗素子と直列接続されているというものである。
【００２８】
本発明中、第２の発明によれば、第１の発明と同様に、信号周波数が高く、正規のレーザダイオードの容量成分が無視できない場合であっても、レーザダイオード駆動回路の第１の負荷回路接続端子から第１の負荷回路側を見たインピーダンスと、レーザダイオード駆動回路の第２の負荷回路接続端子から第２の負荷回路側を見たインピーダンスとのバランスを確保することができると共に、レーザダイオード駆動回路の出力インピーダンスとの整合を図ることができる。
【００２９】
本発明中、第３の発明は、相補関係にある第１、第２の信号電流を流すべき第１、第２の負荷回路が接続される第１、第２の負荷回路接続端子と、これら第１、第２の負荷回路接続端子に接続され、第１、第２の信号電流の発生源となる信号電流発生源とを有するレーザダイオード駆動回路を備えるレーザ光発生装置において、第１の負荷回路接続端子側に変調器内蔵レーザダイオードに内蔵されている変調器ダイオードを接続すると共に、第２の負荷回路接続端子側にダミーの変調器ダイオードを接続しているというものである。
【００３０】
本発明中、第３の発明によれば、第１の負荷回路接続端子側に変調器内蔵レーザダイオードに内蔵されている変調器ダイオードを接続すると共に、第２の負荷回路接続端子側にダミーの変調器ダイオードを接続するとしているので、信号周波数が高く、正規のレーザダイオードの容量成分が無視できない場合であっても、レーザダイオード駆動回路の第１の負荷回路接続端子から第１の負荷回路側を見たインピーダンスと、レーザダイオード駆動回路の第２の負荷回路接続端子から第２の負荷回路側を見たインピーダンスとのバランスを確保することができる。
【００３１】
本発明中、第４の発明は、第３の発明において、変調器内蔵レーザダイオードに内蔵されている変調器ダイオードは、レーザダイオード駆動回路の第１の負荷回路接続端子側の出力インピーダンスとの整合を図るための第１の抵抗素子と並列接続されており、ダミーの変調器ダイオードは、レーザダイオード駆動回路の第２の負荷回路接続端子側の出力インピーダンスとの整合を図るための第２の抵抗素子と並列接続されているというものである。
【００３２】
本発明中、第４の発明によれば、第３の発明と同様に、信号周波数が高く、正規のレーザダイオードの容量成分が無視できない場合であっても、レーザダイオード駆動回路の第１の負荷回路接続端子から第１の負荷回路側を見たインピーダンスと、レーザダイオード駆動回路の第２の負荷回路接続端子から第２の負荷回路側を見たインピーダンスとのバランスを確保することができると共に、レーザダイオード駆動回路の出力インピーダンスとの整合を図ることができる。
【００３３】
【発明の実施の形態】
以下、図１〜図４を参照して、第１、第２の発明の一実施形態について説明する。なお、図１、図３において、図５、図６に対応する部分には同一符号を付し、その重複説明は省略する。
【００３４】
第１の発明の一実施形態・・図１、図２
図１は第１の発明の一実施形態の要部を示す回路図であり、第１の発明の一実施形態は、レーザダイオード駆動回路１の負荷回路接続端子９と接地線との間に、図５に示すように、２５Ωの抵抗１２を接続する代わりに、２０Ωの抵抗４０と、導通時の抵抗値を正規のレーザダイオード１０と同一とするダミーのレーザダイオード４１とからなる直列回路を、ダミーのレーザダイオード４１が正規のレーザダイオード１０と同一方向に接続されるように接続し、その他については、図５に示す第１従来例のレーザ光発生装置と同様に構成したものである。
【００３５】
ここに、レーザダイオード駆動回路１の負荷回路接続端子８から負荷回路側を見たインピーダンスは、抵抗１１の抵抗値＋正規のレーザダイオード１０の導通時の抵抗値＝２０Ω＋５Ω＝２５Ωとなる。
【００３６】
また、レーザダイオード駆動回路１の負荷回路接続端子９から負荷回路側を見たインピーダンスは、抵抗４０の抵抗値＋ダミーのレーザダイオード４１の導通時の抵抗値＝２０Ω＋５Ω＝２５Ωとなる。
【００３７】
このように、第１の発明の一実施形態においては、レーザダイオード駆動回路１の負荷回路接続端子９と接地線との間に、抵抗１１と同一抵抗値の抵抗４０と、導通時の抵抗値を正規のレーザダイオード１０と同一とするダミーのレーザダイオード４１とを直列に接続するようにしている。
【００３８】
この結果、信号周波数が高く、レーザダイオード１０の容量成分が無視できない場合であっても、レーザダイオード駆動回路１の負荷回路接続端子８から負荷回路側を見たインピーダンスと、レーザダイオード駆動回路１の負荷回路接続端子９から負荷回路側を見たインピーダンスとのバランスを確保することができると共に、レーザダイオード駆動回路１の出力インピーダンスとの整合を図ることができる。
【００３９】
したがって、第１の発明の一実施形態によれば、図２に示すように、ジッタが少なく、立ち上がり、立ち下がり時間の短い光波形を発生させることができ、高速伝送を行うことができる。
【００４０】
第２の発明の一実施形態・・図３、図４
図３は第２の発明の一実施形態の要部を示す回路図であり、第２の発明の一実施形態は、レーザダイオード駆動回路２１の負荷回路接続端子２９と接地線との間に、図６に示すように、導通時の抵抗値を正規の変調器ダイオード３２と同一とするダミーの変調器ダイオード４３を正規の変調器ダイオード３２と同一方向に並列に接続し、その他については、図６に示す第２従来例のレーザ光発生装置と同様に構成したものである。
【００４１】
ここに、レーザダイオード駆動回路２１の負荷回路接続端子２８から負荷回路側を見たインピーダンスは、１／［（１／抵抗３４の抵抗値）＋（１／正規の変調器ダイオード３２の逆バイアス時の抵抗値）］＝１／［（１／５０）＋（１／∞）］＝５０Ωとなる。
【００４２】
また、レーザダイオード駆動回路２１の負荷回路接続端子２９から負荷回路側を見たインピーダンスは、１／［（１／抵抗３５の抵抗値）＋（１／ダミーの変調器ダイオード４３の逆バイアス時の抵抗値）］＝１／［（１／５０）＋（１／∞）］＝５０Ωとなる。
【００４３】
このように、第２の発明の一実施形態においては、レーザダイオード駆動回路２１の負荷回路接続端子２９と接地線との間に、ダミーの変調器ダイオード４３を正規の変調器ダイオード３２と同一方向に並列に接続するようにしている。
【００４４】
この結果、信号周波数が高く、変調器ダイオード３２の容量成分が無視できない場合であっても、レーザダイオード駆動回路２１の負荷回路接続端子２８から負荷回路側を見たインピーダンスと、レーザダイオード駆動回路２１の負荷回路接続端子２９から負荷回路側を見たインピーダンスとのバランスを確保することができる。
【００４５】
したがって、第２の発明の一実施形態によれば、図４に示すように、ジッタが少なく、立ち上がり、立ち下がり時間の短い光波形を発生させることができ、高速伝送を行うことができる。
【００４６】
【発明の効果】
本発明中、第１の発明によれば、第１の負荷回路接続端子側に正規のレーザダイオードを接続すると共に、第２の負荷回路接続端子側にダミーのレーザダイオードを接続するとしたことにより、信号周波数が高く、正規のレーザダイオードの容量成分が無視できない場合であっても、レーザダイオード駆動回路の第１の負荷回路接続端子から第１の負荷回路側を見たインピーダンスと、レーザダイオード駆動回路の第２の負荷回路接続端子から第２の負荷回路側を見たインピーダンスとのバランスを確保することができるので、ジッタが少なく、立ち上がり、立ち下がり時間の短い光波形を発生させることができ、高速伝送を行うことができる。
【００４７】
本発明中、第２の発明によれば、第１の発明と同様に、ジッタが少なく、立ち上がり、立ち下がり時間の短い光波形を発生させることができ、高速伝送を行うことができると共に、レーザダイオード駆動回路の出力インピーダンスとの整合を図ることができる。
【００４８】
本発明中、第３の発明によれば、第１の負荷回路接続端子側に変調器内蔵レーザダイオードに内蔵されている変調器ダイオードを接続すると共に、第２の負荷回路接続端子側にダミーの変調器ダイオードを接続するとしたことにより、信号周波数が高く、正規のレーザダイオードの容量成分が無視できない場合であっても、レーザダイオード駆動回路の第１の負荷回路接続端子から第１の負荷回路側を見たインピーダンスと、レーザダイオード駆動回路の第２の負荷回路接続端子から第２の負荷回路側を見たインピーダンスとのバランスを確保することができるので、ジッタが少なく、立ち上がり、立ち下がり時間の短い光波形を発生させることができ、高速伝送を行うことができる。
【００４９】
本発明中、第４の発明によれば、第３の発明と同様に、ジッタが少なく、立ち上がり、立ち下がり時間の短い光波形を発生させることができ、高速伝送を行うことができると共に、レーザダイオード駆動回路の出力インピーダンスとの整合を図ることができる。
【図面の簡単な説明】
【図１】本発明中、第１の発明の一実施形態の要部を示す回路図である。
【図２】本発明中、第１の発明の一実施形態により得られる光波形を示す図である。
【図３】本発明中、第２の発明の一実施形態の要部を示す回路図である。
【図４】本発明中、第２の発明の一実施形態により得られる光波形を示す図である。
【図５】第１従来例のレーザ光発生装置の要部を示す回路図である。
【図６】第２従来例のレーザ光発生装置の要部を示す回路図である。
【図７】信号周波数を高くした場合に第１従来例のレーザ光発生装置により得られる光波形を示す図である。
【図８】信号周波数を高くした場合に第２従来例のレーザ光発生装置により得られる光波形を示す図である。
【符号の説明】
１０  レーザダイオード（ＬＤ）
３０  変調器内蔵ダイオード（ＭＩ−ＬＤ）
３１  レーザダイオード（ＬＤ）
３２  変調器ダイオード
４１  ダミーのレーザダイオード
４３  ダミーの変調器ダイオード
【図１】
0003780602.tif 000002
【図２】
0003780602.tif 000003
【図３】
0003780602.tif 000004
【図４】
0003780602.tif 000005
【図５】
0003780602.tif 000006
【図６】
0003780602.tif 000007
【図７】
0003780602.tif 000008
【図８】
0003780602.tif 000009